(57)【特許請求の範囲】
【請求項１】
ボトルの胴部壁面に、折れ部を形成し、弾性変形する可変リブを配設して可変面を形成し、前記可変面を、可変リブによって形成される平面に対して、形状不変面側にスナップ動作により反転させ、反転状態を維持するようにしたプラスチックボトルにおいて、
可変リブの断面が、厚肉の中央部と薄肉の両側部からなり、側部の端縁を胴部壁面と丸みをもって連結し、可変リブが弾性限度内で湾曲変形するようにしたことを特徴とするプラスチックボトル。
【請求項２】
ボトルが円形ボトルであって、成形ボトルを減容率１０％〜４５％に減容するようにしたことを特徴とする請求項１記載のプラスチックボトル。
【請求項３】
球帯状の肩壁と円筒状の胴壁、球帯状の下部周壁とからなる胴部を備えた円形ボトルであって、
球帯状の肩壁と下部周壁に、上下に対向する位置にほぼ半円形に延びる可変リブを配設し、
該可変リブは、その断面が、厚肉の中央部と薄肉の両側部からなり、側部の端縁を胴部壁面と丸みをもって連結し、弾性限度内で湾曲変形するようにされたリブであって、
該可変リブによって形成される平面に対して、該平面より膨出する胴壁を可変面とし、該可変面を弾性限度内において、スナップ動作により反転変形、復元可能としたことを特徴とするプラスチックボトル。
【請求項４】
球帯状の肩壁と円筒状の胴壁、球帯状の下部周壁とからなる胴部を備えた円形ボトルであって、
球帯状の肩壁と下部周壁に、上下に対向する位置にほぼ半円形の円弧状可変リブを配設し、円筒状の胴壁内に前記上下の円弧状可変リブの両端縁のそれぞれを結ぶ可変縦リブを配設し、
前記円弧状可変リブ、可変縦リブは、その断面が、厚肉の中央部と薄肉の両側部からなり、側部の端縁が胴部壁面と丸みをもって連結し、弾性限度内で湾曲変形するようにされたリブであって、
前記円弧状可変リブと二つの可変縦リブによって形成される平面に対して、該平面より膨出する胴部周壁を可変面とし、該可変面を弾性限度内において、スナップ動作により反転変形、復元可能としたことを特徴とするプラスチックボトル。」
【請求項５】
球帯状の肩壁と下部周壁、または円筒状の胴壁内に、可変縦リブを連結する可変横リブを架設したことを特徴とする請求項４記載のプラスチックボトル。
【請求項６】
口筒部と角壁を有する胴部とを備えた円形ボトルにおいて、
前記胴部は、口筒部に続く球帯状の肩壁と、前記肩壁に続く角壁と、該角壁の表面から膨出するよう形成され、上下を球帯壁とし、中間部を円筒壁とした膨出部とを具え、
前記膨出部の中央に、上部球帯壁、円筒壁、下部球帯壁にわたって上下に可変縦リブを配設し、上下の球帯壁に前記可変縦リブに交差する所定長さの可変横リブを配設し、
前記可変縦リブと可変横リブは、その断面が、厚肉の中央部と薄肉の両側部からなり、側部の端縁が膨出部壁面と丸みをもって連結し、弾性限度内で湾曲変形するようにされたリブであって、
膨出部の壁面が角壁面に対してスナップ動作により反転変形、復元可能としたことを特徴とするプラスチックボトル。
【請求項７】
口筒部と、口筒部に連続する肩壁と多角筒壁とからなる胴部と、四角形の底部を備えたボトルであって、
前記多角筒壁は、前後に対向して平行に配設された長方形の平壁と、肩壁に連続し左右の側部に平行に対向して配設された等脚台形の側壁と、平壁と側壁との間に配設されたほぼ台形の側部傾斜壁と、前記肩壁と平壁および側部傾斜壁の各端縁の間に配設された上部傾斜壁と、底壁と平壁および側部傾斜壁の各端縁との間に配設された下部傾斜壁とを具備しており、
平壁と側部傾斜壁の接続部に可変縦リブを配設し、平壁と上部傾斜壁との接続部および平壁と下部傾斜壁との接続部に可変横リブを配設し、上部傾斜壁の側端縁と側部傾斜壁の上端縁との間、および下部傾斜壁の側端縁と側部傾斜壁の下端縁との間に三角状可変リブを配設し、平壁と各傾斜壁によって形成される可変面が、肩壁と側壁および底壁によって形成される不変面に対して、弾性限度内においてスナップ動作により反転変形、復元可能としたことを特徴とするプラスチックボトル。
【請求項８】
三角状可変リブが、平壁の角部円弧縁からリブの長手方向に突出する膨出壁と傾斜壁の対向する端縁との間を連結するリブ底壁とからなり、リブ底壁が、舟底形のリブ主部と、膨出壁とによって分岐された二つの分岐部とを具備し、各分岐部は、対応する可変縦リブまたは可変横リブに連続していることを特徴とする請求項７記載のプラスチックボトル。
【請求項９】
ボトルの口筒部より圧縮空気を吹き込むことによって復元するようにしたことを特徴とする請求項１〜８記載のプラスチックボトル。
【発明の詳細な説明】
【０００１】
【発明の属する技術分野】
本発明は、変形、復元可能とした容器、とくに弾性限度内で変形、復元可能とし、減容して運搬できるようにしたプラスチックボトルに関する。
【０００２】
【発明が解決しようとする課題】
ブロー成形ボトルの利用にあたっては、飲料、各種家庭用品等、内容物の製造メーカーは、容器メーカーからボトルを購入し、充填工場でボトルに内容物を充填し、包装を施した上で製品として出荷している。
そのため、容器メーカーは、成形工場でブロー成形されたボトルを箱詰めにして内容物充填工場に輸送している。
【０００３】
ボトルのブロー成形に引き続いて内容物を充填する「ブローフィルシール法」も知られているが、容器製造と内容物製造とは専業化されており、内容物の製造メーカーはボトルまで成形することは少なく、一般には、成形工場でブロー成形されたボトルを内容物充填工場に輸送することが多く行われている。
【０００４】
しかしながら、成形工場から充填工場への空ボトルの輸送は、重量こそ軽量であるが、容積が嵩張り一回に運ばれる個数が少なく、輸送効率はきわめて低かった。
さらに、ボトルが円形であると、直交する二軸方向にボトルを相互に接合するよう整列させて箱詰めするからボトル間の空間容積が増え、積載効力は一層低下した。
【０００５】
本発明は、上記の事情に鑑み、ボトルの容積を一時的に減容させて積載輸送効率を高めることを技術的課題として、成形ボトルを、素材樹脂の弾性変形の限度内で反転変形、復元可能としたプラスチックボトルを提供することを目的とする。
【０００６】
【課題を解決するための手段】
上記の技術的課題は、ボトルの胴部壁面に、所定の平面から膨出し弾性変形の範囲内で変形復元可能な可変部を形成し、その他の部分を形状不変部とし、可変面をスナップ動作により前記所定の平面からボトル内方に反転させ、反転変形状態を維持することによって達成することができる。
【０００７】
本発明は、技術的課題を達成するために、プラスチックボトルとして、ボトルの胴部壁面に、折れ部を形成し、弾性変形する可変リブを配設して可変面を形成し、前記可変面を、可変リブによって形成される平面に対して、形状不変面側にスナップ動作により反転させ、反転状態を維持するようにしたプラスチックボトルにおいて、可変リブの断面が、厚肉の中央部と薄肉の両側部からなり、側部の端縁を胴部壁面と丸みをもって連結し、可変リブが弾性限度内で湾曲変形するようにしたことを特徴とする構成を採用する。
成形ボトルの減容は、減容率１０％〜４５％に減容するようにする。
【０００８】
ボトルの形状に応じて、円形ボトルにおける技術手段として、球帯状の肩壁と円筒状の胴壁、球帯状の下部周壁とからなる胴部を備えた円形ボトルであって、球帯状の肩壁と下部周壁に、上下に対向する位置にほぼ半円形に延びる可変リブを配設し、該可変リブは、その断面が、厚肉の中央部と薄肉の両側部からなり、側部の端縁を胴部壁面と丸みをもって連結し、弾性限度内で湾曲変形するようにされたリブであって、該可変リブによって形成される平面に対して、該平面より膨出する胴壁を可変面とし、該可変面を弾性限度内において、スナップ動作により反転変形、復元可能としたことを可能とする構成を採用する。
【０００９】
また、ボトルが胴長になる場合に、球帯状の肩壁と円筒状の胴壁、球帯状の下部周壁とからなる胴部を備えた円形ボトルにおいては、球帯状の肩壁と下部周壁に、上下に対向する位置にほぼ半円形の円弧状可変リブを配設し、円筒状の胴壁内に前記上下の円弧状可変リブの両端縁のそれぞれを結ぶ可変縦リブを配設し、前記円弧状可変リブ、可変縦リブは、その断面が、厚肉の中央部と薄肉の両側部からなり、側部の端縁が胴部壁面と丸みをもって連結し、弾性限度内で湾曲変形するようにされたリブであって、前記円弧状可変リブと二つの可変縦リブによって形成される平面に対して、該平面より膨出する胴部周壁を可変面とし、該可変面を弾性限度内において、スナップ動作により反転変形、復元可能としたことを特徴とする構成を採用し、必要に応じて、球帯状の肩壁と下部周壁、または円筒状の胴壁内に、可変縦リブを連結する可変横リブを架設する。
【００１０】
角壁を有する円形ボトルにおいては、口筒部と角壁を有する胴部をを備えた円形ボトルであって、前記胴部は、口筒部に続く球帯状の肩壁と、前記肩壁に続く角壁と、該角壁の表面から膨出するよう形成され、上下を球帯壁とし、中間部を円筒壁とした膨出部とを具え、前記膨出部の中央に、上部球帯壁、円筒壁、下部球帯壁にわたって上下に可変縦リブを配設し、上下の球帯壁に前記可変縦リブに交差する所定長さの可変横リブを配設し、前記可変縦リブと可変横リブは、その断面が、厚肉の中央部と薄肉の両側部からなり、側部の端縁が膨出部壁面と丸みをもって連結し、弾性限度内で湾曲変形するようにされたリブであって、膨出部の壁面が角壁面に対してスナップ動作により反転変形、復元可能としたことを特徴とする構成を採用する。
【００１１】
また角形ボトルの場合には、口筒部と、口筒部に連続する肩壁と多角筒壁とからなる胴部と、四角形の底部を備えたボトルであって、前記多角筒壁は、前後に対向して平行に配設された長方形の平壁と、肩壁に連続し左右の側部に平行に対向して配設された等脚台形の側壁と、平壁と側壁との間に配設されたほぼ台形の側部傾斜壁と、前記肩壁と平壁および側部傾斜壁の各端縁の間に配設された上部傾斜壁と、底壁と平壁および側部傾斜壁の各端縁との間に配設された下部傾斜壁とを具備しており、平壁と側部傾斜壁の接続部に可変縦リブを配設し、平壁と上部傾斜壁との接続部および平壁と下部傾斜壁との接続部に可変横リブを配設し、上部傾斜壁の側端縁と側部傾斜壁の上端縁との間、および下部傾斜壁の側端縁と側部傾斜壁の下端縁との間に三角状可変リブを配設し、平壁と各傾斜壁によって形成される可変面が、肩壁と側壁および底壁によって形成される不変面に対して、弾性限度内においてスナップ動作により反転変形、復元可能としたことを特徴とする構成を採用し、三角状可変リブが、平壁の角部円弧縁からリブの長手方向に突出する膨出壁と傾斜壁の対向する端縁との間を連結するリブ底壁とからなり、リブ底壁が、舟底形のリブ主部と、膨出壁とによって分岐された二つの分岐部とを具備し、各分岐部は、対応する可変縦リブまたは可変横リブに連続していることを特徴とする構成を採用する。
変形減容ボトルのの復元は、ボトルの口筒部より圧縮空気を吹き込むことによって復元するようにしたことを特徴とする。
【００１２】
【発明の実施の形態】
次に、本発明の第１実施形態について、図１〜６を参照して説明する。
本実施形態は、丸形ボトルに係わるもので、図１，２に示すように、ボトル１は、口筒部２と胴部３と底部４とからなり、ＰＥＴ、高密度ポリエチレンその他可撓性のある硬質の合成樹脂を素材樹脂としてブロー成形によって成型されている。
前記口筒部２には、キャップを被嵌するためのネジ５と該ネジ５の下端に形成された膨出部６が設けられ、その下方には保持環７が設けられている。
【００１３】
胴部３は、口筒部２に続く球帯状の肩壁８と、該肩壁８に続く円筒状の胴壁９および該胴壁９に続き底部４に続く球帯状の下部周壁１０とからなり、肩壁８と胴壁９上端との間には、胴壁９外周より一定距離内側に位置する互いに直角をなす四つの垂直面上で半円形に延びる可変リブ１１ａ，ｂ，ｃ，ｄが配設されており、それぞれの可変リブ１１は、その上端部１２が肩壁８内に位置し、両側に延びた下端部１３は、胴壁９と肩壁８との境界部に達している。
【００１４】
前記下部周壁１０は、胴壁９下端より延び、底部４の底壁１４の周縁１５に続いており、球帯の形状は肩壁８と同径で対称的になっている。
下部周壁１０には、前記可変リブ１１と同一垂直面上で、可変リブに対して上下方向に対称形となる４つの可変リブ１６ａ，ｂ，ｃ，ｄが設けられている。
上下の可変リブ１１，１６に囲まれた胴部３の壁面は、変形復元可能な可変面１７ａ，ｂ，ｃ，ｄを形成し、胴部のその他の壁面は不変面１８となっている。
【００１５】
可変リブ１１は、胴部の補強とともに、胴部壁の折れ部を形成するものである。  その断面形状は、図３に示すように、やや肉厚の中央部１９とやや薄肉の側部２０ａ，ｂを有しており、その両縁部は胴部壁と連結されている。
それぞれの連結部２１ａ，２１ｂは、丸みが形成されており、連結部においては、側部２０ａ，ｂの肉厚は連結された胴部壁２２の肉厚とほぼ等しくなっている。
中央部１９と側部２０ａ，ｂとは弧状に湾曲しているので、胴壁部が折り曲げられたり、胴部巾を縮小するなど両連結部２１ａ，２１ｂを双方から押圧するような力が加わると、まず、側部が湾曲し、続いて中央部も湾曲されるので、可変リブ全体が弧状に湾曲して連結部間の間隔ａが間隔ｂに狭められる。
また、逆に両連結部の間隔を広げるような力が加えられると、湾曲度が変わり、間隔は広がる。
【００１６】
可変リブの中央部１９、側部２０ａ，ｂの湾曲およびリブ両端部と胴部壁２２との連結部２１の変形は、弾性変形の範囲で行われるようになっている。
弾性変形の範囲は、素材樹脂の弾性限応力、可変リブと連結部の形状、厚さ等によって設計的に定められ、本発明においては、素材樹脂としてＰＥＴ、高密度ＰＥ、ＰＰなど可撓性のある硬質の樹脂を用い、可変リブの形状、内厚、壁厚、連結部の曲率などを実験をくり返すことによって設定している。
【００１７】
次に、ボトルの変形、減容について、図４，５，６を参照して説明する。
上記ボトル１は、可変面１７ａ，ｂ，ｃ，ｄを押圧すると、上下の円弧状の可変リブ１１，１６の内側の連結部を含む平面Ｘに対して、可変面１７が該平面Ｘを越え、スナップ動作によって反転位置に維持されるので、可変面１７の膨出した胴壁９は内方に湾曲して平面内に陥没し、ボトル胴部は、四つの平面によって形成される角形ボトルと同じ形状になって、その分減容されることになる。
【００１８】
そのときの変形状態を図５を参照して、くわしく説明する。
図５は、可変リブ１１の上端部１２とボトル軸線を含む面で切った肩壁８上部の縦断面図であり、可変リブの反転作用を模式的に描いた図である。
図５（ａ）において、胴部３の可変面１７を押圧していくと、可変リブ１１の両連結部２１ａ，２１ｂは、ほぼ等しいモーメントを受けて曲がることになるから、両連結部２１ａ，２１ｂにおいては、側部２０と肩壁８のなす角はほぼ等しく変形する。
胴部の可変面１７が押圧されて平面Ｘを越えるときには、図５（ｂ）に示すように可変面１７の壁面が曲線から直線になるとすると、連結部２１ｂの位置は、変形前の位置から距離ｓ上方に移動し、可変リブ１１の両連結部間の間隔が短くなり、間隔ａから間隔ｂに変化して可変リブ１１が湾曲される。
【００１９】
次いで、胴部の可変面１７をさらに内方に押圧すると、図５（ｃ）に示すように可変面１７の膨出面は内方に湾曲した陥没面となり、その縦断面は、変形前の曲線に対称的な曲線となる。
連結部２１ａ，ｂにおいて、可変リブ１１の側部２０ａと肩壁上方部８ａ、側部２０ｂと肩壁８のなす角は、ほぼ等しくなるので、両連結部２１ａ，２１ｂは、上部の連結部２１ａを通る垂直線上に位置するようになり、可変面１７は、平面Ｘより内方に位置するようになる。
同時に可変リブの両側部を圧迫する力は小さくなるので、両連結部間の間隔ｃは間隔ｂより広がり、湾曲度は減少する。
胴部の可変面１７を平面Ｘより膨出した状態に復元させるためには、可変リブの両連続部間の間隔を再び縮小させ、変形させる復元力が必要となる。
【００２０】
下部に配設された可変リブ１６は、上部の可変リブ１１と対称的に形成され、球帯状の下部周壁１０内に位置しているので、可変リブ１１について述べた上記作用がもたらされ、変形状態も対称的になるので、ボトル１の可変面１７全体は、図４に示すように、スナップ動作により反転変形され、反転状態は、復元力を作用させない限りそのまま維持される。
復元は、ボトル内部に圧縮空気を吹き込むことによって行われ、それまでは反転状態が維持されるのである。
【００２１】
次に、減容率について図６を参照して説明すると、本発明にいう減容率は、成形ボトルの占める四角柱容積に対し、変形した減容ボトルの占める四角柱容積を差し引いた容積の割合である。
ボトルの高さが同一の場合には、ボトルの占める四辺形の面積となる。
図６において、円形成形ボトルの占める面積は直径Ｄ×直径Ｄに対して、対向する変形面（平面Ｘ）までの距離をＡ，Ｂとすると、変形した減容ボトルの占める面積は、Ａ×Ｂとなり、
減容率は、（Ｄ・Ｄ−Ａ・Ｂ）／Ｄ・Ｄ
で表される。
本実施形態においては、それぞれの可変リブは、同一距離内方に配設されているから、Ａ＝Ｂとなっている。
【００２２】
減容率は、可変リブの配設場所を変えることによって、換言すればＡ，Ｂの値を変えることによって変更することができる。
可変面、可変リブの変形を小さくすれば弾性変形の範囲に押さえられるが、わずかな外力を加えても復元することになり、可変リブの変形は、可変面がスナップ動作で反転、復元可能であるようにしなければならない。
【００２３】
積載効率は、直交する二軸方向にボトルを相互に接合するよう整列させたときに、単位面積当たりに積み込まれる成形ボトルの個数に対する減容ボトルの個数の比であり、Ｄ・Ｄ／Ａ・Ｂで表される。
減容ボトルを箱詰めにすると積載効率を高めることができる。
【００２４】
本実施形態では、図示した減容ボトルは、減容率は約３２％となっており、積載効率は、１．４６となり、ボトルの積載量を４６％上昇させることができる。
【００２５】
本実施形態では、可変リブを弧状として上下に配置したことを一つの特徴として４面に配設しているが、必要に応じ配設位置、数は変更することができる。
次に変形実施例について図７を参照して説明する。
上記で説明したものと異なる点は、可変リブ１１，１６をボトルの軸心に対向するように配設し、可変面を対向する二面１７ａ，１７ｃとしたことである。
ボトルの減容率は、（Ｄ・Ｄ−Ａ・Ｄ）／Ｄ・Ｄとなり、図示した実施例では約１７％となっている。
また、可変リブを上下一対だけとし、可変面を一面だけにしてもよく、この場合、ボトルの減容率は約９％となる。
【００２６】
また、可変リブの位置をボトルの中心に寄せることによって、減容率を高めることができる。
減容ボトルを成形ボトルの円周に内接する正四角形に近づけることによって減容率を５０％に接近させることができるが、可変リブの位置をボトルの中心に寄せると、可変リブの上端が位置する肩壁の肉厚が厚くなり、可変リブの上端における変形が困難となり、また、胴壁に位置する可変面の側縁部が相互に干渉し合うという問題も発生し、一定の限度がでてくる。
そこで、可変リブの位置を変え実験を重ねたところ、可変面が干渉しないだけの細巾の壁面を残して、隣り合う可変リブの下端部側縁をほぼ一致するように接近させて配設することによって、ボトルの減容率を４５％まで上げることができた。
【００２７】
可変リブの配設位置は、縦方向と横方向で異なるようにしてもよく、ボトルの形状は楕円ボトルであってもよい。
【００２８】
次に、縦長の円形ボトルに係わる第２実施形態について、図８〜１２を参照して説明する。
前記第１実施形態では上下に対向して位置する半円状の可変リブを配設したが、ボトルが縦長になると、上下の可変リブの作用だけでは胴壁の不変面に外力がかかると可変面の胴壁中央に復元力が働き、復元が全長に渡って広がり反転状態を維持することが困難になるという問題が生じる。
本実施形態はこれを改善するため、可変リブを胴壁にも配設して胴長の円形ボトルにも適応させるようにしたもので、以下前記実施形態と異なる点を中心に説明する。
【００２９】
図８〜１０に示すようにボトル３０は、口筒部３１、胴部３２、底部３３とからなり、胴部３２は、球帯状の肩壁３４と円筒状の胴壁３５と、前記肩壁３４と対称形になっている球帯状の下部周壁３６とからなっている。
肩壁３４から下部周壁３６にかけて、胴壁３５から所定距離内側に位置する互いに直角をなす四面の垂直面上にそれぞれ可変リブ３７ａ，ｂ，ｃ，ｄが配設されている。
【００３０】
可変リブ３７は、円弧リブ３８、縦リブ３９、横リブ４０とからなっている。円弧リブ３８は、肩壁３４内に位置する半円形の上部の円弧リブ３８ａと、該円弧リブ３８ａに対称形とし、下部周壁３６内に位置する下部の円弧リブ３８ｂとを具えており、胴壁３５内に位置して円弧リブ３８ａ，ｂの半円の両端縁を結んで、二つの直線状の縦リブ３９ａ，ｂが設けられている。
上下の円弧リブ３８ａ，ｂには、その両端縁を結ぶ円弧状の横リブ４０ａ，ｂが架設されており、その円弧中央部４１ａ，ｂは、胴壁３５の上下の端部、すなわち胴壁３５と肩壁３４、胴壁３５と下部周壁３６の境界上に位置している。
前記可変リブ３７によって囲まれた部分は、胴部３２の膨出された可変面４２ａ，ｂ，ｃ，ｄとなっており、その他の胴部３２の部分は、不変面４３となっている。
【００３１】
次に、可変リブ３７の作用について、図１１，１２を参照して説明する。
可変リブ３７の断面形状は、第１実施形態のそれとほぼ同一であって、図１１に示すように、肉厚の中央部４４とやや薄肉の側部４５が円弧状に湾曲して形成されており、両側部４５の端縁は、胴部３２の対応する壁面に続いており、丸みを持った連結部４６となっている。
上下の円弧リブ３８ａ，ｂは、肩壁３４または下部周壁３６内に配設され、前記第１実施形態における可変リブ１１，１６と同様の作用効果をもたらすことができる。
【００３２】
胴壁３５に配設された左右の縦リブ３９ａ，ｂは、図１１に示すように、胴壁３５の可変面４２を押圧するとき、まず、縦リブ３９ａ，ｂの両方の連結部４６の間隔がａからｂに縮小し、可変面４２の胴壁３５を平面状とし、さらに、内方に押圧すると、胴壁３５はスナップ動作によって反転し、内方に湾曲する。
その際、縦リブ３９ａ，ｂは、連結部４６間の間隔を拡大して可変面を反転位置を維持するように作用する。
そして、縦リブ３９は、胴壁３５の上下全長に渡っているので、胴壁３５の不変面４３に外力がかかっても復元することなく、可変面４２の反転状態が確実に維持されるのである。
【００３３】
次に、弧状の横リブ４０ａ，ｂの作用について説明すると、横リブ４０ａ，ｂは、その円弧中央部４１ａ，ｂが、胴壁３５の端部すなわち胴壁３５と肩壁３４との境界線または胴壁３５と下部周壁３６との境界線に位置していることによって、可変面４２上下の球帯の反転を容易にするとともに、反転状態を確実に維持するように作用するものである。
【００３４】
本実施形態では、図１２に示すように、円弧リブ３８ａ，ｂ、縦リブ３９ａ，ｂ、横リブ４０ａ，ｂの作用が総合され、可変面４２を押圧していくと、不変面４３と可変リブ３７の接続部によって形成される平面Ｘａに対して、可変面４２がスナップ動作によって反転し、膨出した可変面４２が内方に湾曲陥没して減容されることになる。
その減容率は、図示した実施例では、約３２％である。
【００３５】
本実施形態では、可変面を四個所に設けているが、可変面は一個所または二個所に配設するだけでもよく、また、可変リブの配設位置を内方に位置させること等によって前記第１実施形態と同様に減容率を変えることができる。
【００３６】
次に、円形ボトルに係わる第３実施形態について図１３〜１８を参照して説明する。
本実施形態は、第１実施形態と同様に円形ボトルに係わるものであるが、胴部周面に円筒形膨出部を設けた角形壁を形成し、膨出部を可変面として可変リブを配設したものである。
【００３７】
図１３〜１５に示すように、ボトル５０は、前記各実施形態と同じく口筒部５１と胴部５２および底部５３とからなっており、胴部５２は、口筒部５１に続くほぼ球帯状の肩壁５４と、胴壁５５とを具えている。
胴壁５５は、前記肩壁５４に続く角壁５６と、該角壁５６から膨出するよう形成され、上下を球帯壁５７ａ，５７ｂとし、中間部を円筒壁５８とした膨出部５９とを具えている。
角壁５６の角部は裁断されて、肩壁５４に続く所定の巾の円筒壁６０が形成され、胴部５２は、実質的には円形に近い形状になっている。
【００３８】
胴壁５５は、図１５に示されているように、一定巾の円筒壁６０と、該円筒壁６０に続く角壁５６の細巾の平壁側部５６ａと、円筒壁６０より小径の円筒壁５８によって形成されており、平壁側部５６ａと膨出部５９の円筒壁５８との連続部は、直線縁６１ａ，６１ｂとなっている。
前記膨出部５９の上部球帯壁５７ａは、角壁５６の平壁上部５６ｂに連続しており、その連続部は円弧縁６２ａとなっている。
下部球帯壁５７ｂは、角壁５６の平壁下部５６ｃに連続しており、その連続部は円弧縁６２ｂとなっている。
直線縁６１ａ，６１ｂ、円弧縁６２ａ，６２ｂによって長円状の垂直な平面が形成されている。
【００３９】
前記膨出部５９の中央には、上部球帯壁５７ａ、円筒壁５８、下部球帯壁５７ｂにわたって上下に縦リブ６３が配設されており、上下の球帯壁５７ａ，ｂのそれぞれには、前記縦リブ６３に交差する所定長さの横リブ６４が配設されている。
縦リブ６３及び横リブ６４は、いずれも可変リブであって、図１５に示されているように、肉厚の中央部６５とやや薄肉の側部６６ａ，ｂとを有しており、両縁部は、膨出部５９の壁面に接続され、連結部６７ａ，ｂを形成している。
【００４０】
前記底部５３は、図１６に示すように、円形の底壁６８と該底壁６８から立ち上がる周縁６９、および該周縁６９と角壁５６の下端部７０とを結ぶ傾斜壁７１、円筒壁６０の下端部７２とを結ぶ傾斜壁７３とからなっている。
【００４１】
次に、可変リブの作用とボトルの変形作用について説明する。
膨出部５９を押圧すると、膨出部５９は、直線縁６１ａ，ｂの上下の円弧縁に沿ってスナップ動作によって反転し、内方に湾曲し、陥没する。
【００４２】
そのときの縦リブ６３の作用について、図１７を参照して説明すると、膨出部５９を押圧すると、膨出部５９の円筒壁５８は内方に移動するが、円筒壁６０と平壁側部５６ａが屈曲されているので、円筒壁５８は、円筒壁６０の側端縁７４と直線縁６１ａ，ｂを軸として変形し、円筒壁５８の断面は曲線からほぼ直線になり、図１７（ｂ）に示すように、縦リブ６３を湾曲させて、両連結部６７ａ，ｂ間の間隔ａを間隔ｂに縮小するように作用する。
さらに押圧すると、円筒壁５８は内方に湾曲して、縦リブ６３は元の状態に戻り、反転状態を維持する。
【００４３】
球帯壁５７ａ，ｂにおいては、膨出部５９はボトルの横方向と同時に縦方向に湾曲することになるが、縦リブ６３の上記の作用によって、横断面での球帯壁５７ａ，ｂの横方向への変形を行い、横リブ６４が変形することによって第１実施形態における可変リブと同様に、球帯壁５７ａ，ｂの縦断面での縦方向への湾曲変形をさせるように作用する。
両者の作用によって、球帯壁５７ａ，ｂを反転させ、反転状態を維持するように作用するが、同時に横リブ６４と縦リブ６３が交差しているので、横リブの変形によって球帯壁５７の変形面に剛直性を付与し、縦リブ６３の復元を阻止するように作用する。
【００４４】
膨出部５９が、反転して内方に湾曲することによって変形されたボトルは、角壁５６の形状に減容されるが、図示した実施例では減容率は約３２％である。
本実施形態においても、縦長のボトルでは第２実施形態と同様に直線縁６１ａ，６１ｂに沿って縦リブを配設してもよい。
また、膨出部を角壁の対向する二面に配設するだけでもよく、角壁の形状を短形としてもよい。
【００４５】
次に、角形ボトルに係わる第４実施形態について、図１９〜３０を参照して説明する。
図１９〜２２に示すように本実施形態のボトル８０は、口筒部８１と胴部８２、底部８３とからなり、ＰＥＴその他可撓性を有する硬質の樹脂を素材樹脂とし押出しブロー成形によって成形されている。
前記口筒部８１には、キャップを被嵌するためのネジ８４と該ネジ８４の下端に形成された膨出部８５が設けられ、その下方には保持環８６が設けられている。
【００４６】
前記胴部８２は、口筒部８１に連続して形成される肩壁８７と該肩壁８７に連続する多角周壁８８からなり、前記底部８３は、長方形の底壁８９とその周縁から立ち上がる底周壁９０とを具えている。
多角周壁８８は、前後に対向して平行に配設された長方形の平壁９１ａ，ｂと、肩壁８７に連続し、左右の側部に対向して平行に配設された等脚台形の側壁９２ａ，ｂ、および平壁９１と側壁９２との間に配設されたほぼ台形の側部傾斜壁９３ａ，ｂ，ｃ，ｄとを具えている。
【００４７】
前記肩壁８７の側縁９４と平壁９１および側部傾斜壁９３との間には、上部傾斜壁９５ａ，ｂが配設されており、底周壁９０の前後の端縁９６と平壁９１ａ，ｂ、および側部傾斜壁９３との間には下部傾斜壁９７ａ，ｂが配設されている。
前記側壁９２は、前後の端部は丸みをもって屈曲し、ボトル前後面で上下に延びる帯壁９８が形成され、その側縁９９は、側部傾斜壁９３の縁部に連続している。
【００４８】
平壁９１ａ，ｂの側端縁１００と各側部傾斜壁９３ａ，ｂ，ｃ，ｄの側端縁１０１との間には、両者を接続する縦リブ１０２が配設され、平壁９１ａ，ｂの上端縁１０３と上部傾斜壁９５の下端縁１０４との間には、両者を接続する上部横リブ１０５が配設され、平壁９１ａ，ｂの下端縁１０６と下部傾斜壁９７ａ，ｂの上端縁１０７との間には、両者を接続する下部横リブ１０８が配設されている。
上部傾斜壁９５の側端縁１０９と側部傾斜壁９３の上端縁１１０および平壁９１の角部円弧縁１１１との間には上部三角リブ１１２が配設され、下部傾斜壁９７の側端縁１１３と側部傾斜壁９３の下端縁１１４、および平壁９１の角部円弧縁１１１との間には、下部三角リブ１１５が配設されている。
【００４９】
前記縦リブ１０２、各横リブ１０５，１０８および各三角リブ１１２，１１５は、いずれも弾性限度内で変形、復元可能な可変リブであって、それらの可変リブで接続された平壁９１、側部傾斜壁９３、上部傾斜壁９５、下部傾斜壁９７によって可変面が形成され、肩壁８７、側壁９２および底壁８９によって形成される不変面に対して、変形、復元可能となっている。
変形は、平壁９１ａ，ｂを押圧することによって行われ、スナップ動作によって可変面がボトル内部に偏寄され、押圧を解いてもその状態が維持される。
【００５０】
次に、各可変リブの構造とその作用について、図２３〜２９を参照して説明する。
まず、始めに各可変リブの求められる作用効果の基本について、図２３を参照して説明する。
説明の前提として、上部傾斜壁９５が、その壁面と両側の二つの帯壁９８の側縁９９との交点を相互に結ぶ直線１１６を軸として廻動するものとし、各傾斜壁は等脚台形で、その巾および傾斜辺の傾斜角度はすべて同一であり、縦リブ１０２、上部横リブ１０５、下部横リブ１０８の断面形状とその巾も、すべて同一であると仮定して説明する。
【００５１】
側部傾斜壁９３は側縁９９を軸とし、下部傾斜壁９７は端縁９６を軸として廻動するが、各軸線によって、長方形の平面Ｙが形成され、平壁９１は、平面Ｙに平行に配設されることになる。
平面Ｙのすべての角部は相互に対称形になっているので、一つの角部のみを図示して以下説明する。
【００５２】
各傾斜壁（９３ａ，ｂ、９５、９７）の傾斜角度をαとし、平壁９１を平面Ｙに平行に移動させ、各傾斜壁を廻動させ平面Ｙに一致させると、平壁９１は９１Ａに、側部傾斜壁９３は９３Ａとなる。
そして、側端縁１０１は線１０１Ａ上に、上端縁１１０は線１１０Ａ上に位置するようになり、同じく上部傾斜壁９５の下端縁１０４は線１０４Ａ上に、側端縁１０９は線１０９Ａ上に位置することになる。
【００５３】
前記可変面のスナップ動作による反転は、可変面がまず平面Ｙと一致し、ついで、平面Ｙを越えて内側に位置させることであるが、そのときの各可変リブの必要とする作用効果について述べる。
まず、縦リブ１０２、上部横リブ１０５については、図に示すように可変リブの間隔ａを間隔ｂとなるように縮小させることである。
つぎに、上部三角リブ１１２については、側端縁１０９、上端縁１１０、線１０９Ａ、線１１０Ａの交点をＯ、それぞれの端点をＡ、Ｂ、Ａ1 、Ｂ1 とすると、∠ＡＯＢを∠Ａ1 ＯＢ1 に縮小させ、平面上で平壁の角部円弧縁１１１と線分ＡＢとの距離を角部円弧縁１１１と線分Ａ1 Ｂ1 との距離になるように縮小させることである。
これは、三角リブを、長手方向と同時に横方向に湾曲変形させることによって達成できる。
【００５４】
次に、縦リブ１０２とボトル８０の横断面での変形について、図２４を参照して説明する。
図２４（ａ）に示すように、縦リブ１０２は、中央部をやや肉厚とし、断面円弧のリブ本体１２０を有しており、その一方の端部１２１は、側部傾斜壁９３の側端縁１０１と接続しており、他方の端部１２２は、平壁９１の側端縁１００より傾斜して突出する突出縁１２３と接続されている。
【００５５】
平壁９１を押圧していくと、平壁９１は、ボトルの中心に向かって平行に移動し、側部傾斜壁９３は、帯壁９８の側縁９９を軸として廻動する。
平壁９１と側部傾斜壁９３とが平面となると、図２４（ｂ）に示すように、縦リブ１０２の両端１２１，１２２間の間隔がａからｂに狭くなり、リブ本体１２０は大きく湾曲させられる。
【００５６】
次いで、さらに押圧すると、平壁９１は、引き続いて内方に移動し、側部傾斜壁９３が内方に廻動するので、縦リブの両端の間の間隔は広がり、ほぼもとの状態を回復する。
したがって、平壁９１と側部傾斜壁９３は、スナップ動作によって反転され、平壁９１の外方に移動させるための力を付与しない限り、反転状態が維持されることになる。
【００５７】
次に、上部横リブ１０５、下部横リブ１０８とボトル８０の縦断面での変形について、図２５を参照して説明する。
図２５（ａ）に示すように、上部横リブ１０５と、下部横リブ１０８とはほぼ同形であって、前記した縦リブ１０２と同様に中央がやや肉厚のリブ本体１２５ａ，ｂと端部１２６ａ，ｂ、端部１２７ａ，ｂを有している。
上部横リブ１０５の端部１２６ａは、上部傾斜壁９５の下端縁１０４と接続され、端部１２７ａは、平壁９１の上端縁１０３より傾斜して突出する突出縁１２８ａと接続されている。
下部横リブ１０８の端部１２６ｂは、下部傾斜壁９７の上端縁１０７と接続されており、端部１２７ａは、平壁９１の下端縁１０６より傾斜して突出する突出縁１２８ｂと接続されている。
【００５８】
平壁９１を押圧していくと、上部傾斜壁９５は、前記した直線１１６を軸として廻動し、下部傾斜壁９７は、底周壁９０の端縁９６を軸として廻動する。
図２５（ｂ）に示すように、平壁９１と、上部および下部傾斜壁９５，９７が平面となるとき、端部１２６ａ，ｂと端部１２７ａ，ｂの間の間隔は狭くなり、リブ本体１２５は大きく湾曲され、前記した縦リブの作用と同様の作用がもたらされることになる。
【００５９】
次に、三角リブの構成とその作用効果について、図２６〜２８を参照して説明する。
各三角リブ１１２，１１５は、平壁９１の各角部に形成された角部円弧縁１１１と、角部に対応する上下部の傾斜壁の側端縁と、該側縁端に対向する側部傾斜壁の上下いずれかの端縁との間に形成されている。
図２６に示すように、上部三角リブ１１２は、平壁９１の角部円弧縁１１１からリブの長手方向に突出するよう形成された膨出壁１３０と、対向する側端縁１０９、上端縁１１０との間を連結するリブ底壁１３１とからなっている。
【００６０】
膨出壁１３０は、角部円弧縁１１１の上端からリブの長手方向に下方に湾曲した曲線を稜線１３２とし、その裾線１３３を、平壁９１の突出縁１２３を含む垂直面と突出縁１２８を含む垂直面上に位置するようにしている。
リブ底壁１３１は、傾斜壁（９３，９５）の側端縁１０９、上端縁１１０によって囲まれた舟底形の底壁主部１３５と、膨出壁１３０とによって分岐された二つの分岐部１３６，１３７とからなっている。
【００６１】
底壁主部１３５の断面は、図２７に示すように、弧状に湾曲した壁面となっており、中央部１３８が側部１３９よりやや厚肉で、接続する傾斜壁の端縁（１０９，１１０）との連結部１４０において、曲がり易くなっており、両連結部１４０の間隔が変化するときには、全体として湾曲変形するようになっている。
分岐部１３６，１３７の断面は、底壁主部１３５の断面とほぼ同じ形状となっている。
【００６２】
底壁主部１３５の中央の谷線１４１は、前記膨出壁１３０の稜線１３２に続いており、底壁主部１３５から分岐部１３６，１３７にかけては、一つの広巾の弧状の壁面から二つの細巾の弧状の壁面に滑らかに連続して分岐している。
分岐部においては、膨出壁１３０の側壁と対向する傾斜壁の端縁（１０９，１１０）との間に壁面が形成され、縦リブ１０２、上部横リブ１０５の壁面に連続している。
【００６３】
次に、上記構成による三角リブの作用効果について、図２７，２８を参照して説明する。
平壁９１を押圧すると、平壁９１はボトル８０の内側に向かって平行に移動し、各傾斜壁（９３，９５）は廻動する。
その際、先に図２３について説明したように、各傾斜壁の端縁のなす角度が小さくなり、リブ底壁１３１の両側の連結部の間隔は縮小する。
【００６４】
平壁９１と各傾斜壁（９３，９５）が平面Ｙ上に一致したときには、底壁主部１３５においては、図２７（ｂ）に示すように、両連結部１４０間の間隔が縮小し、リブ底壁１３１の壁面は湾曲変形する。
さらに平壁９１を押圧すると、リブ底壁１３１は、平面Ｙを越えて反転し、両連結部１４０間の間隔を広げ、リブ底壁１３１を元の状態に戻す。
【００６５】
底壁主部１３５と分岐部１３６，１３７の合流点付近においては、図２８，２９に示すように、両連結部１４０の間の間隔が狭められると同時に、膨出壁１３０中央部の押圧によって、各分岐部の二つの湾曲面が一つの湾曲面となり、底壁主部１３５の湾曲面に連続することになる。
各分岐部１３６，１３７においては、膨出壁１３０の側面と傾斜壁の端縁の間の間隔が狭くなり、傾斜壁の端縁（１０９，１１０）と膨出壁周面との間で湾曲変形された湾曲面が形成され、縦リブ、横リブの変形したリブ面に滑らかに続くことになる。
【００６６】
リブ底壁１３１の変形は、各傾斜壁の側端縁１０９、上端縁１１０のなす角度の縮小と膨出壁１３０の押圧力によって行われるが、同時に、縦リブ１０２、上部横リブ１０５の変形、湾曲が行われ、その変形は、リブ底壁１３１の分岐部１３６，１３７に伝達されるが、分岐部１３６，１３７によって、底壁主部１３５の変形と結合され、三角リブの作用と総合されるのである。
【００６７】
以上のように、縦リブ１０２、各横リブ１０５，１０８、各三角リブ１１２，１１５作用が総合されて、図３０に示すように、可変面を平面Ｙに対してスナップ動作により反転し、その反転状態が維持され、減容ボトルとなるのである。
減容ボトルの復元は、前記各実施形態のボトルと同様に、ボトル内に空気を吹き込むことによって行われるが、他に平壁を引き出す適当な手段がないから、反転状態の維持は、より確実となっている。
本実施形態においては、図示の実施形では減容率は、約３３％になっているが、底壁の巾に対して傾斜壁の傾斜角度を変え、対向する平壁の距離を変えることによって、減容率を変えることができる。
【００６８】
上記第４実施形態の角形ボトルは、押し潰し容器としても使用できる。
ボトルの容積は、実質的に減容され空気を吹き込み内部から復元力を付与しない限り復元しないので、ボトル廃棄のために押し潰し容器として利用可能である。
内容物の注出後、使用済みのボトルを押圧すると簡単に押し潰すことができ、そのまま廃棄することによってゴミ容量を減らすことができる。
【００６９】
【発明の効果】
本発明は、上記のように構成されているから、次の効果を奏する。
ボトルの胴部壁面に、折れ部を形成する可変リブを配設して可変面を形成し、可変リブを弾性限度内で変形させ、前記可変面を形状不変面に対してスナップ動作により反転させ、反転状態を維持するようにしているから、ボトルを弾性変形の範囲内で変形させ減容することができる。
変形した減容ボトルを箱詰め輸送する時には、積載効率を高めることができる。
減容ボトルは、弾性変形の範囲内でのスナップ動作による変形であるから、スナップ動作により反転復元させることができる。
復元は、ボトル内に圧縮空気を吹き込むだけで容易に行うことができ、弾性変形の範囲内の変形で塑性変形はしないから商品価値を損なうことはない。
【図面の簡単な説明】
【図１】  本発明の第１実施形態におけるボトルの一部断面正面図である。
【図２】  ボトルの平面図である。
【図３】  可変リブの横断面図で、（ａ）は変形前、（ｂ）は変形時の状態を示す説明図である。
【図４】  変形減容時の状態を示すボトルの一部断面正面図である。
【図５】  可変リブの作用を説明する肩壁の縦断面図で、（ａ）は変形前、（ｂ）は押圧時、（ｃ）は反転時の状態を示す説明図である。
【図６】  変形減容時の状態を示すボトルの平面図である。
【図７】  一つの実施例を説明するボトルの平面図である。
【図８】  本発明の第２実施形態におけるボトルの一部断面正面図である。
【図９】  ボトルの平面図である。
【図１０】  図８のＡ−Ａ線における断面平面図である。
【図１１】  可変リブの作用を説明する胴壁の横断面図である。
【図１２】  変形減容時の状態を示すボトルの一部断面正面図である。
【図１３】  本発明の第３実施形態におけるボトルの一部断面正面図である。
【図１４】  ボトルの平面図である。
【図１５】  図１３のＡ−Ａ線における断面平面図である。
【図１６】  ボトルの底面図である。
【図１７】  可変リブの作用を説明する肩壁の横断面図で、（ａ）は変形前、（ｂ）は押圧時、（ｃ）は反転時の状態を示す説明図である。
【図１８】  変形減容時の状態を示すボトルの一部断面正面図である。
【図１９】  本発明の第４実施形態におけるボトルの正面図である。
【図２０】  ボトルの一部断面側面図である。
【図２１】  ボトルの平面図である。
【図２２】  図１９のＡ−Ａ線における断面平面図である。
【図２３】  可変リブの作用を説明する図である。
【図２４】  縦リブの作用を説明するボトルの一部横断面図で、（ａ）は変形前、（ｂ）は変形時の状態を示す図である。
【図２５】  横リブの作用を説明するボトルの一部縦断面図で、（ａ）は変形前、（ｂ）は変形時の状態を示す図である。
【図２６】  三角リブの構成を説明する図で、（ａ）は平面図、（ｂ）は図（ａ）をＸ方向からみた側面図、（ｃ）はＹ方向からみた側面図である。
【図２７】  三角リブ底壁主部の断面形状の作用を説明する断面図で、（ａ）は変形前、（ｂ）は変形時の状態を示す図である。
【図２８】  三角リブ底壁主部と分岐部との合流点付近の断面形状の作用を説明する断面図で、（ａ）は変形前、（ｂ）は変形時の状態を示す図である。
【図２９】  三角リブの作用を説明する縦断面図で、（ａ）は変形前、（ｂ）は変形時の状態を示す図である。
【図３０】  変形減容時の状態を示すボトルの一部断面側面図である。
【符号の説明】
１，３０，５０，８０    ボトル
２，３１，５１，８１    口筒部
３，３２，５２，８２    胴部
４，３３，５３，８３    底部
８，３４，５４，８７    肩壁
９，３５，５５          胴壁
１０，３６                下部周壁
１１ａ，ｂ，ｃ，ｄ        可変リブ
１６ａ，ｂ，ｃ，ｄ        可変リブ
１７ａ，ｂ，ｃ，ｄ        可変面
１８                      不変面
１９                      中央部
２０ａ，ｂ                側部
２１ａ，ｂ                連結部
２２                      胴壁部
３７ａ，ｂ，ｃ，ｄ        可変リブ
３８ａ，ｂ                円弧リブ
３９ａ，ｂ                縦リブ
４０ａ，ｂ                横リブ
４２ａ，ｂ，ｃ，ｄ        可変面
４３                      不変面
５６                      角壁
５７ａ，ｂ                球帯壁
５８                      円筒壁
５９                      膨出部
６３                      縦リブ
６４                      横リブ
９１ａ，ｂ                平壁
９２ａ，ｂ                側壁
９３ａ，ｂ，ｃ，ｄ        側部傾斜壁
９５ａ，ｂ                上部傾斜壁
９７ａ，ｂ                下部傾斜壁
１０２ａ，ｂ                縦リブ
１０５                      上部横リブ
１０８                      下部横リブ
１１２                      上部三角リブ
１１５                      下部三角リブ
１２０                      リブ本体
１２１，１２２              端部
１２３                      突出縁
１３０                      膨出壁
１３１                      リブ底壁
【図１】
0003808160.tif 000002
【図２】
0003808160.tif 000003
【図３】
0003808160.tif 000004
【図４】
0003808160.tif 000005
【図５】
0003808160.tif 000006
【図６】
0003808160.tif 000007
【図７】
0003808160.tif 000008
【図８】
0003808160.tif 000009
【図９】
0003808160.tif 000010
【図１０】
0003808160.tif 000011
【図１１】
0003808160.tif 000012
【図１２】
0003808160.tif 000013
【図１３】
0003808160.tif 000014
【図１４】
0003808160.tif 000015
【図１５】
0003808160.tif 000016
【図１６】
0003808160.tif 000017
【図１７】
0003808160.tif 000018
【図１８】
0003808160.tif 000019
【図１９】
0003808160.tif 000020
【図２０】
0003808160.tif 000021
【図２１】
0003808160.tif 000022
【図２２】
0003808160.tif 000023
【図２３】
0003808160.tif 000024
【図２４】
0003808160.tif 000025
【図２５】
0003808160.tif 000026
【図２６】
0003808160.tif 000027
【図２７】
0003808160.tif 000028
【図２８】
0003808160.tif 000029
【図２９】
0003808160.tif 000030
【図３０】
0003808160.tif 000031